(57)【要約】      （修正有）【課題】光源側、光源と反対側からの外観を良好にし、透明状態における採光量を大きくする太陽光発電装置を提供する。【解決手段】光発電素子２ａ，２ｂと、光発電素子２ａ，２ｂの受光面側に受光面側透明部材６と裏面側に調光機能素子２０とを有し、光発電素子２ａ，２ｂは、（１）〜（３）のいずれかを満たす。（１）隣接する他の光発電素子と間隔を空けて配列される（２）可視光を透過するものであって１つの板状である（３）可視光を透過するものであって隣接する他の光発電素子と間隔を空けずに配列される。調光機能素子２０は外部からの電力供給により、透過光量と、光発電素子に向かい合う面の光反射率と、を調整する機能を有する。第一透明電極部材２１と第二透明電極部材２２の少なくともいずれか一方は、光発電素子２ａ，２ｂの受光面に垂直な方向から見た時、光発電素子２ａ，２ｂと他の光発電素子の間隔に金属細線２４，２７を有する。【選択図】図２
2017093054.tif 000002
【特許請求の範囲】
【請求項１】
受光面と裏面を有する光発電素子と、前記光発電素子の受光面側に受光面側透明部材と、前記光発電素子の裏面側に調光機能素子と、を有する太陽光発電装置であって、
前記光発電素子は、以下（１）〜（３）のいずれかを満たすものであり、
（１）隣接する他の光発電素子と間隔を空けて配列される
（２）可視光を透過するものであって１つの板状である
（３）可視光を透過するものであって隣接する他の光発電素子と間隔を空けずに配列される
前記受光面側透明部材および調光機能素子は、可視光を透過するものであり、
前記調光機能素子は、受光面側から第一透明電極部材、調光機能材料および第二透明電極部材を順に有し、かつ、外部からの電力供給により、透過光量と、前記光発電素子に向かい合う面の光反射率と、を調整する機能を有し、
前記第一透明電極部材および第二透明電極部材のうちの少なくともいずれか一方は、前記光発電素子の受光面に垂直な方向からみたとき、前記光発電素子と他の光発電素子の間隔に金属細線を有する太陽光発電装置。
【請求項２】
前記第一透明電極部材および第二透明電極部材の少なくともいずれか一方が、さらに透明導電膜を有する、請求項１の太陽光発電装置。
【請求項３】
前記透明導電膜の厚さが１ｎｍ〜１μｍである、請求項２の太陽光発電装置。
【請求項４】
前記金属細線の太さが１００ｎｍ〜５００μｍである、請求項１〜３のいずれか１項に記載の太陽光発電装置。
【請求項５】
前記光発電素子の裏面側で、かつ、前記第一透明電極部材の受光面側に、さらに可視光を透過する裏面透明部材を有する、請求項１〜４のいずれか1項に記載の太陽光発電装置。
【請求項６】
前記受光面側透明部材、前記裏面側透明部材、前記第一透明電極部材および前記第二透明電極部材の少なくとも一つが光散乱機能を有する、請求項５に記載の太陽光発電装置。
【請求項７】
前記第一透明電極部材および前記第二透明電極部材の少なくとも一つが光散乱機能を有し、
前記調光機能素子のうち、光反射機能を有する表面が、前記光発電素子の受光面に垂直な方向からみたとき、前記光発電素子と他の光発電素子の間隔において、一つ以上の凸形状と、前記光発電素子の受光面と並行ではない、前記凸形状の頂点を挟む２つ以上の面を有する、請求項６に記載の太陽光発電装置。
【請求項８】
前記光発電素子は、裏面側から見たときに、調光機能素子の遮光状態、および、調光機能素子の遮光状態と透明状態の中間の状態、と各々比較すると、
Ｌ＊ａ＊ｂ＊表色系におけるａ＊又はｂ＊（色度）の差が４０以内、および、Ｌ＊（明度）の差が４０以内である、 請求項１〜７のいずれか1項に記載の太陽光発電装置。
【発明の詳細な説明】
【技術分野】
【０００１】
本発明は、太陽光発電装置に関するものである。
【背景技術】
【０００２】
近年、太陽光を建造物の一部として利用することで、太陽光発電としての機能に加えて、建物の採光窓、天井としての機能を果たすシースルー、或いは、ライトスルーと呼ばれる太陽電池が注目されている。
【０００３】
これらの用途では、太陽光を太陽電池の太陽光とは反対側にも透過させる必要があるが、太陽電池の下の採光量を大きくすると必然的に太陽電池による発電量が少なくなるという難しさがある。すなわち、光発電素子同士を間隔を空けて配置し、間隔から太陽光を通して光発電素子の裏面側に採光し、光発電素子で発電させているが、採光量を増やす為に光発電素子の間隔を多くすると発電量が少なくなり、逆に発電量を多くしようとして光発電素子を密に並べると採光量が少なくなる。
【０００４】
また、特に建造物にこのような採光をひとつの目的とした太陽電池を用いる場合、建物の美観に整合するデザイン性も同時に求められる。本用途では、太陽電池の裏面側が室内側に配置されるため、裏面側（室内側）から見たとき、採光量（光の透過量）を時と場合によって調整したいという要望もある。例えば、夏の晴れた日などは眩しい、暑いといった理由から透過量を減らし、夜などはプライバシーの確保のために透過量を下げることが一般的に行われている。
【０００５】
これらの要望、つまり採光量と太陽光発電装置による発電量とを両立させること、さらには透過量を自由に調整できる調光機能を持たせる試みとして、太陽電池に調光機能素子を組み合わせる方法が考案されている。（例えば特許文献１）
また、単純に、調光機能素子の透光量を高める試みとしては、調光機能素子の電極に金属の細線を用いる方法が提案されている。（例えば特許文献２）
【特許文献１】特開２００６−３１９０２６号公報
【特許文献２】特開２００４−３４１２９１号公報
【発明の概要】
【発明が解決しようとする課題】
【０００６】
しかしながら、特許文献１では、発電量が十分に高いとはいえない。また、室内側から見たときの外観を良くすることについても検討がなされておらず、改善の余地がある。
【０００７】
本発明の目的は、光源側、光源と反対側からの外観を良好にし、透明状態における採光量を大きくしながら、太陽光発電装置による発電量を高めると共に、安全性を高め、さらには低コストでこれを実現することにある。
【課題を解決するための手段】
【０００８】
本発明における太陽光発電装置は、受光面と裏面を有する光発電素子と、前記光発電素子の受光面側に受光面側透明部材と、前記光発電素子の裏面側に調光機能素子とを有し、前記光発電素子は、以下（１）〜（３）のいずれかを満たすものであり、
（１）隣接する他の光発電素子と間隔を空けて配列される
（２）可視光を透過するものであって１つの板状である
（３）可視光を透過するものであって隣接する他の光発電素子と間隔を空けずに配列される、
前記受光面側透明部材および調光機能素子は、可視光を透過するものであり、前記調光機能素子は、受光面側から第一透明電極部材、調光機能材料および第二透明電極部材を順に有し、かつ、外部からの電力供給により、透過光量と、前記光発電素子に向かい合う面の光反射率と、を調整する機能を有し、前記第一透明電極部材および第二透明電極部材のうちの少なくともいずれか一方は、前記光発電素子の受光面に垂直な方向からみたとき、前記光発電素子と他の光発電素子の間隔に金属細線を有する。
【０００９】
前記第一透明電極部材および第二透明電極部材の少なくともいずれか一方が、さらに透明導電膜を有することが好ましい。
【００１０】
前記透明導電膜の厚さが１ｎｍ〜１μｍであることが好ましい。
【００１１】
前記金属細線の太さが１００ｎｍ〜５００μｍであることが好ましい。
【００１２】
前記光発電素子の裏面側、かつ、第一透明電極部材の受光面側に、さらに可視光を透過する裏面透明部材を有することが好ましい。
【００１３】
前記受光面側透明部材、前記裏面側透明部材、前記第一透明電極部材および前記第二透明電極部材の少なくとも一つが光散乱機能を有することが好ましい。
【００１４】
前記第一透明電極部材および前記第二透明電極部材の少なくとも一つが光散乱機能を有し、前記調光機能素子のうち、光反射機能を有する表面が、前記光発電素子の受光面に垂直な断面からみたとき、前記光発電素子と他の光発電素子の間隔において、一つ以上の凸形状と、前記光発電素子の受光面と並行ではない、前記凸形状の頂点を挟む２つ以上の面を有することが好ましい。
【００１５】
前記光発電素子は、裏面側から見たときに、調光機能素子の遮光状態、および、調光機能素子の遮光状態と透明状態の中間の状態、と各々比較すると、Ｌ＊ａ＊ｂ＊表色系におけるａ＊又はｂ＊（色度）の差が４０以内、および、Ｌ＊（明度）の差が４０以内であることが好ましい。
【発明の効果】
【００１６】
本発明の太陽光発電装置によれば、調光機能素子の電極を目立たせることなくその導電性を高めることができるので、太陽光発電装置の外観を阻害することなく、調光機能素子の調色の速度、調色の濃淡の差を高め、消費電力を下げることが可能となる。また、金属細線で反射した光が光発電素子に入射することで太陽光発電装置の発電量を増やすことができる。さらに、金属細線が配されることにより、ガラスなどを部材の一部に用いたときに割れても飛び散りにくい安全な太陽光発電装置にできる。
【図面の簡単な説明】
【００１７】
【図１】（ａ）本発明による太陽光発電装置の第１の実施の形態における外観を示す概念図、（ｂ）本発明による太陽光発電装置の第1の実施の形態における一部分を光源と反対側から見た概念図、（ｃ）本発明による太陽光発電装置の第1の実施の形態における一部分の断面構成を示す概念図、（ｄ）本発明による太陽光発電装置の第1の実施の形態における透明電極部材の断面図
【図２】本発明による太陽光発電装置の第２の実施の形態における一部分の断面構成を示す概念図
【図３】本発明による太陽光発電装置の第３〜４の実施の形態における一部分の断面構成を示す概念図
【図４】（ａ）本発明による太陽光発電装置の第５の実施の形態における一部分の断面構成を示す概念図、（ｂ）本発明による太陽光発電装置の第５の実施の形態における光の伝搬の様子を示す概念図
【図５】本発明による太陽光発電装置の第５の実施の形態における凸形状について説明する概念図
【図６】本発明による太陽光発電装置において光発電素子が一枚の板状である形態を示す概念図
【図７】本発明による太陽光発電装置において光発電素子を隣接する他の光発電素子と間隔を空けずに配列される形態を示す概念図
【発明を実施するための形態】
【００１８】
本発明の太陽光発電装置は、図１（ａ）に示すように、受光面と裏面を有する光発電素子と、光発電素子の受光面側に受光面側透明部材と、光発電素子の裏面側に調光機能素子と、を有する。
【００１９】
光発電素子は、以下（１）〜（３）のいずれかを満たす。
（１）隣接する他の光発電素子と間隔を空けて配列される。
（２）可視光を透過するものであって１つの板状である。
（３）可視光を透過するものであって隣接する他の光発電素子と間隔を空けずに配列される。
【００２０】
受光面側透明部材は、可視光を透過するものである。本発明における透明電極部材、受光面側透明部材、および裏面側透明部材における透明とは、ヘイズメーターＮＤＨ−５０００（日本電色社製）を使用し測定径１４ｍｍφの透過率を用いて測定した値であり、透過率が１０％以上のものを意味する。中でも、外部への視界の確保の点では６０％以上がより好ましく、８０％以上が特に好ましい。また可視光とは、波長が４００〜８００ｎｍの電磁波を意味する。
【００２１】
調光機能素子は、受光面側から第一透明電極部材、調光機能材料および第二透明電極部材を順に有する。また調光機能素子は、外部からの電力供給により、透過光量（透光量ともいう）と、光発電素子に向かい合う面の光反射率（反射率ともいう）と、を調整する機能を有する。第一透明電極部材および第二透明電極部材のうちの少なくともいずれか一方は、光発電素子の受光面に垂直な方向からみたとき、光発電素子と他の光発電素子の間隔に金属細線を有する。
【００２２】
以下に、本発明の好ましい実施形態について説明するが、以下に限定されるものではない。
【００２３】
（第１の実施の形態）
図１は本発明による太陽光発電装置の第１の実施の形態を示す概念図である。図１（ａ）は受光面側（光源側ともいう）から太陽光発電装置を見たところ、図１（ｂ）は図１（ａ）内の破線で囲った部分を拡大した、太陽光発電装置の裏側から見たもの、図１（ｃ）は図１（ｂ）のＡ−Ａ’位置の断面図、さらに、図１（ｄ）は図１（ｂ）のＢ−Ｂ’位置における、後述する第二透明電極部材の断面図である。
【００２４】
図１（ａ）のように、太陽光発電装置（１）は、光発電素子（２ａ）と、光発電素子（２ａ）と隣接する他の光発電素子（２ｂ）と、を有し、光発電素子（２ａ）および（２ｂ）はある隙間（３）を空けて配列されている。複数の光発電素子（２ａ）や（２ｂ）で発電できると共に、隙間（３）により太陽光発電装置（１）の裏面側に光を通すことが可能となる。
【００２５】
また、図１（ｂ）のように、光発電素子（２a）および（２ｂ）は、配線（４）によって互いに電気的に接続される。又、図１（ｂ）に示すように、調光機能素子（９）は、第一透明電極部材（２１）および第二透明電極部材（２２）を有する。第一透明電極部材（２１）および第二透明電極部材（２２）の少なくともいずれか一方は、光発電素子の受光面に垂直な方向からみたとき、光発電素子と他の光発電素子の間隔に金属細線を有する。
【００２６】
図１（ｃ）においては、第一透明電極部材（２１）および第二透明電極部材（２２）は、各々金属配線（２４）および金属配線（２７）を有する。金属配線（２４）および金属配線（２７）は網目状に配置されている。金属配線は、幅が１００ｎｍ〜５００μｍが好ましい。中でも、１μｍ〜２００μｍがより好ましい。この範囲とすることで、金属配線を目立たなくすると共に十分な導電性を得ることが可能である。本図では便宜上図示するが、非常に細いために実際には存在の確認が目視では困難なほどに視認し難い。
【００２７】
金属細線の幅は、フィールドエミッション型走査型電子顕微鏡（ＦＥ−ＳＥＭ）Ｓ−４８００（日立ハイテクノロジー社製）を用いて測定することができる。光源は、一般的には太陽光であるが、太陽光に限らず、室内灯や屋外灯などの人口光を含む。
【００２８】
本実施の形態の断面は、図１（ｃ）のように、受光面側から、受光面側透明部材として受光面ガラス（６）、光発電素子（２）、裏面側透明部材として裏面ガラス（７）があり、さらに受光面ガラス（６）と光発電素子（２）との間、光発電素子（２）と裏面ガラス（７）との間に、それぞれ光発電素子（２）を封止固定する為の封止材（８ａ）、封止材（８ｂ）が充填されている。光発電素子（２ａ）は、配線（４）により隣接する他の光発電素子（２ｂ）と、或いは、外部の装置や部材（図示しない）と電気的に接続されている。さらに裏面ガラスの下には、調光機能素子が配置されている。調光機能素子は、受光面側から、第一透明電極部材（２１）、調光機能部材（２０）および第二透明電極部材（２２）をこの順に有する。
【００２９】
第一透明電極部材（２１）および第二透明電極部材（２２）の少なくともいずれか一方は、金属細線（２４）を有する。金属細線を有することにより、調光機能素子の透明電極部材を目立たせることなく導電性を高めることができるので、太陽光発電装置の外観を阻害することなく、調光機能素子の調色の速度、調色の濃淡の度合いを高め、消費電力を下げることが可能となる。
【００３０】
この際、図１（ｄ）に示すように、第一透明電極部材（２１）および第二透明電極部材（２２）の少なくともいずれか一方は、金属細線以外に、透明導電膜を有することが好ましい。これによりさらに導電性を高めることができるので、調光機能素子の調色の速度、調色の濃淡の度合いをより高め、消費電力を下げることが可能となる。
【００３１】
また本実施の形態においては、図１（ｄ）に示すように、透明支持部材１（２３）上に金属細線１（２４）と、全面に透明導電膜１（２５）が積層された構成となっており、第二透明電極部材（２２）は透明支持部材２（２６）上に金属細線２（２７）と、全面に透明導電膜２（２８）が積層された構成となっている。
【００３２】
本実施の形態では、光発電素子の光源とは反対側（裏面側）に調光機能素子があり、この構成により、この調色の度合いと反射の度合いを外部からの電気的な制御により調整が可能であることで、透光量、反射量をある範囲で任意に調整可能である。さらに調光機能素子からの反射光が光発電素子に入射することで、発電量を向上することが可能である。
調光機能素子は、受光面側から第一透明電極部材、調光機能材料および第二透明電極部材を順に有する。
【００３３】
第一透明電極部材（２１）と第二透明電極部材（２２）は、それぞれの金属細線、透明導電膜が積層された面が調光機能部材（２２）を挟んで向かい合う向きに配置されている。ここで、第二透明電極部材（２２）は、図１（ｄ）に示すように、金属細線２（２７）の上に透明導電膜２（２８）が覆い被さる様に構成しており、金属細線２（２７）の上に透明導電膜があると共に、金属細線間にもその間をつなぐように透明導電膜がある。金属細線だけでも低抵抗を実現することが可能であるが、これに加えて透明導電膜を有することでさらに透明電極部材としての抵抗値をさらに下げる効果がある。
【００３４】
調光機能素子における各透明電極部材の導電率は、低いほど調光機能素子の調色の速度、調色の濃淡の差を大きくすることができ、より外観、調光機能を高めることが可能であると共に、消費電力を低減することが可能である。第一透明電極部材（２１）についても、配置の向きは異なるものの、その構造、及び、効果は上記第二透明電極部材（２２）のものと同様である。透明電極部材のシート抵抗は、１０００Ω／□以下であることが好ましく、１００Ω／□以下がより好ましい。
【００３５】
上記金属細線については、細線にするとそもそも視認が困難になるためその厚みが外観に及ぼす影響は少なく、従って、透光するように金属を薄くして全面に配するよりも、細くして厚くする方が、視認し難くすることと導電性を高くすることの両立が可能である。
【００３６】
なお、金属細線と透明導電膜は上下の順序を逆にしても同様の機能を発現することが可能であるが、調光機能素子による透光量の変化の速度、反射量の変化の速度、透光量変化の差、および反射量の変化の差は、透明電極部材の抵抗が低いほうが大きくできるので、比較的低抵抗である金属細線を透明導電膜の上に形成するほうが望ましい。一方、抵抗の分布を均一にする目的では、金属細線の上に透明導電膜を形成する方が好ましい。なぜなら、透明電極部材の表面が一律な部材で覆われるため、透光量の変化の速度、反射量の変化の速度、反射量の変化の差、および透光量の変化の差の面内分布を小さくできるためである。
【００３７】
ここで、透光量（または反射量）の変化の速度とは、調光機能素子の透光量（または反射量）が最も大きい状態から最も小さい状態との差を意味する。また透光量（または反射量）の変化の差とは、調光機能素子の透光量（または反射量）が最も大きい状態と最も小さい状態へ変化するを意味する。
【００３８】
金属細線としては、銅、銀、金、アルミ、鉄などあらゆる導電性の金属などを用いることができるが導電性が高く、安価な材料であるＣｕを用いることがより好ましい。
【００３９】
透明支持部材（２３）、透明支持部材（２６）を用いる場合、ポリイミド、ポリアミド、ポリアミドイミド、ポリフェニレンエーテル、ポリエーテルケトン、ポリエーテルエーテルケトン、ポリエチレンテレフタレート、ポリオレフィン、ポリエステル、ポリカーボネート、ポリスルフォン、ポリエーテルスルフォン、ポリフェニレンスルフィド、ポリアリレート、アクリル系樹脂、シクロオレフィン系ポリマー、ポリウレタン系ポリマー、芳香族系重合体、熱硬化型もしくは放射線硬化型樹脂を用いて熱や放射線で硬化した硬化物のフィルムなどを用いることができる。中でも、コスト、透明性、強靭性といった点でポリエチレンテレフタレートを用いることが好ましい。
【００４０】
透明導電膜としては、ＩＴＯ、ＺｎＯ、ＩＷＯ、ＦＴＯ、ＣＮＴ、ＤＬＣ、或いは、非常に薄い金属膜などが上げられるが、透光性を有する導電性の材料を使用することができるが、透明性と導電性を両立する点でＩＴＯを用いることがより好ましい。透明導電膜は、厚みが１ｎｍ〜１μｍが好ましい。この範囲とすることで適切な導電性を得ると共に、視認し難くすることが可能となり、上記の効果を適切に実現することが可能である。中でも、１０〜５００ｎｍより好ましい。
【００４１】
又、第一透明電極部材（２１）、第二透明電極部材（２２）には、調光機能の長期信頼性を高めるために、水蒸気や酸素などの、調光機能を劣化させる要因となる物質が透過しにくくするような処理を施すことが好ましい。例えば、アルミニウム、アルミナ、シリカのなどの膜をコーティングする方法や、無機膜と有機膜を多重に積層するなどの方法が挙げられる。
【００４２】
なお、本明細書において、透明導電膜の膜厚は、断面をフィールドエミッション型走査型電子顕微鏡（ＦＥ−ＳＥＭ）Ｓ−４８００（日立ハイテクノロジー社製）を用いて観察することにより測定することができる。
【００４３】
また、本実施の形態のように、金属細線１（２４）および、金属細線２（２７）の少なくともいずれか一方が太陽光発電装置の全面に張り巡らせていることが好ましい。これにより、ガラスが割れたときに飛散する危険をより小さくすることができ安全性の高い太陽光発電装置を得ることが出来る。
【００４４】
さらに、調光機能素子の各透明電極部材に有する金属細線が、調光機能素子に入射した光を反射し、光発電素子に入射することで、光発電素子による発電量を向上する効果があり、調光機能素子が透光状態における透明性を高めると同時に発電量の向上を兼ね備えることが可能である。
【００４５】
また、調光機能素子のうち、光発電素子が有る領域では、元々可視光に対して透過率が低く、光の透過による採光量、或いは、調光機能素子の反射による発電量向上が少ないため、調光機能素子による透光量の変化の速度、反射量の変化の速度、透光量の変化の差、および反射量の変化の差は、各々光発電素子の間隔における調光機能素子による透光量の変化の速度、反射量の変化の速度、透光量の変化の差、および反射量の変化の差よりも小さくてもよい。従って、調光機能素子に用いる透明電極部材の金属細線や透明導電膜は比較的自由に設計できる。
【００４６】
（第２の実施の形態）
図２は本発明による太陽光発電装置の第２の実施の形態を示す概念図である。第２の実施の形態でも、第1の実施の形態で図１（ａ）に示したものと同様の外観を持ち、その一部の拡大についても図１（ｂ）と同様である。以下、第１の実施の形態と同様の内容については説明を省略、同じ記号番号についてもその説明を省く。
【００４７】
第２の実施の形態では、第１の実施の形態と比較して第一透明電極部材（２１）の基材として用いた透明支持部材１（２３）を廃し、金属細線１（２４）、透明導電膜１（２５）を裏面ガラス（７）の裏面に形成している。本構造でも第１の実施の形態と同様の機能、効果を得ることが可能であり、それに加えて、透明支持部材１（２３）の部材コストを削減することができる為、低コスト化が可能である。さらに透明支持部材による吸収、反射が減ることにより調光機能素子が透明な状態における透光量を増やすことができる。
【００４８】
（第３の実施の形態）
図３は本発明による太陽光発電装置の第３の実施の形態を示す概念図である。第３の実施の形態でも、第1の実施の形態で図１（ａ）に示したものと同様の外観を持ち、その一部の拡大についても図１（ｂ）と同様である。また、裏面から見た構造、断面構造についても図１（ｂ）、図１（ｃ）に示したものと同様となっている。以下、第１の実施の形態と同様の内容については説明を省略、同じ記号番号についてもその説明を省く。
【００４９】
本実施の形態では、第１の実施の形態と比較して、裏面側電極２（２２）の透明支持部材２（２６）、及び、裏面側電極１（２１）の透明支持部材（２３）に光散乱を引き起こすために光散乱機能を有するものを配置している。光発電素子の裏面側に光散乱機能を有するものを配置することにより、光発電素子と、光発電素子間の間隔との色合いの違いが緩和されることで、太陽光発電装置の、光源とは反対側から見た場合の外観が向上する。
【００５０】
同様の効果は、光発電素子よりも裏側にある、裏面ガラス（７）、裏面電極１（２１）の透明支持部材１（２３）、裏面電極２（２２）の透明支持部材２（２６）のいずれに光散乱の機能を持たせることによっても得ることが可能である。また、これらの光散乱の機能により、各金属細線を光源側、光源の反対側から視認し難くすることができ、配線４を光源と反対側から視認し難くすることが可能となる。
【００５１】
さらに、本実施の形態と同様に、透明支持部材１（２３）および透明支持部材２（２６）のうちの少なくともいずれか一方に光散乱の機能を持たせることにより光源と反対側から視認し難くできる。第一透明電極部材（２１）の金属細線１（２４）は受光面ガラス（６）、透明支持部材１（２３）に光拡散の機能を持たせることにより光源側からの視認を、また、透明支持部材２（２６）に光拡散の機能を持たせることにより光源と反対側からの視認をし難くできる。さらに、第二透明電極部材（２２）の金属細線２（２７）は、受光面ガラス（６）、透明支持部材１（２３）に光拡散の機能を持たせることにより光源がわらからの視認を、透明支持部材２（２６）に光拡散の機能を持たせることにより光源と反対側からの視認をし難くすることができる。
【００５２】
光散乱機能を有するものとしては、二酸化ケイ素、アクリル系樹脂、ポリウレタン系樹脂、ポリアミド系樹脂などの微粒子を透明支持部材に分散させたもの、表面に微細な凹凸を設けるもの、微粒子を含んだバインダー層をコーティングするなどがあげられるが、コストの点で、ポリエチレンテレフタレート（ＰＥＴ）に樹脂の微粒子をコーティングしたものを用いるのが好ましい。
【００５３】
（第４の実施の形態）
第４の実施の形態についても図１を用いて説明する。第４の実施の形態でも、第1の実施の形態で図１（ａ）に示したものと同様の外観を持つ。また、裏面から見た構造、断面構造についても図１（ｂ）、図１（ｃ）に示したものと同様となっている。以下、第１の実施の形態と同様の内容については説明を省略、同じ記号番号についてもその説明を省く。
【００５４】
第４の実施の形態では、調光機能素子に用いる調光機能部材（２０）の遮光状態の色が青〜黒色である。さらに、光発電素子の裏面側の面の色が青色である。光発電素子の裏面側は、例えば、青色の顔料であるインディゴを用いて着色したが、これは一例であり、着色の方法を限定しない。  
【００５５】
本実施形態における光発電素子は、裏面側から見たときに、調光機能素子の遮光状態、および、調光機能素子の遮光状態と透明状態の中間の状態、と各々比較すると、
Ｌ＊ａ＊ｂ＊表色系におけるａ＊又はｂ＊（色度）の差が４０以内、および、Ｌ＊（明度）の差が４０以内である。この範囲とすることで、光発電素子が太陽光発電装置の裏面から見たときに目立たなくすることができる。中でも、より色の違い小さくして外観を向上する観点から、ａ＊、ｂ＊またはL＊の差は、３０以内が好ましく、２０以内がより好ましい。ａ＊、ｂ＊、L＊は、スペクトルフォトメータＣＭ−３６００Ｄ（ミノルタ社製）により測定することができる。
【００５６】
ここで、調光機能素子の遮光状態とは、調光機能素子の透過量が最も低い状態を意味する。また調光機能素子の遮光状態と透明状態の中間の状態とは、調光機能素子の透過量が最も低い状態と、調光機能素子の透過量が最も高い状態の間の状態を意味する。
【００５７】
本実施の形態では、調光機能素子が、（１）遮光状態、および（２）遮光状態と透明状態の中間の状態、の時にいずれも青系の色であり、光発電素子の裏面も青色であって上記色差の値を満たすため、（１）遮光状態、および（２）遮光状態と透明状態の中間の状態、の各々の時に光発電素子と間隔との色合いの差を小さくすることができ、太陽光発電装置の裏面側から見た場合の外観が向上する。
【００５８】
（第５の実施の形態）
第５の実施の形態について図４（ａ）、（ｂ）を用いて説明する。第５の実施の形態でも、第1の実施の形態で図１（ａ）に示したものと同様の外観を持つ。また、裏面から見た構造、断面構造についても図１（ｂ）に示したものと同様となっている。以下、第１の実施の形態と同様の内容については説明を省略、同じ記号番号についてもその説明を省く。
【００５９】
第５の実施の形態では、図４（ａ）に示すように、第一透明電極部材（２１）、第二透明電極部材（２２）、調光機能部材（２０）を凹凸構造とすることで、調光機能素子を凹凸構造としている。図４（ｂ）に示すように、光源から入射した光が調光機能素子で反射すると、斜面で反射した光は斜めの方向に角度を変えて進行する為、光発電素子に向かう光の量を増やすことができ、発電量を増やすことができる。
【００６０】
本実施の形態では第一透明電極部材（２１）、第二透明電極部材（２２）、調光機能部材（２０）を全面に渡って凹凸形状にしたが、調光機能素子のうち、光反射機能を有する表面を、少なくとも光発電素子の間隔を通して調光機能素子に前記光源の光が入射する領域の一部において、一つ以上の凸形状と、光発電素子の主面と並行ではない、凸形状を挟む２つ以上の面を有するようにすることで、同様の効果を得ることが可能である。
【００６１】
光発電素子の主面と平行ではない凸形状を挟む２つ以上の面を有する、とは、図５に示すように、主面と異なる凸形状を有すると共にその両側に光発電素子の主面と平行ではない斜面を有する形状を意味する。光発電素子については、完全に不透明である必要は無く、可視光を透過するものを含む。
【００６２】
ここで、（１）隣接する他の光発電素子と間隔を空けて配列される形態については図１（ａ）、（２）可視光を透過するものであって１つの板状である形態については図６、（３）可視光を透過するものであって隣接する他の光発電素子と間隔を空けずに配列される形態については図７に示すような太陽光発電装置であり、（２）、（３）の場合、光発電素子が可視光を透過するため、間隔を空ける必要がない。なお、（１）のように間隔を空ける場合であっても可視光を透過するものであってもよい。
【００６３】
また、光発電素子はシリコンが主に用いられるが、化合物を用いるもの、薄膜であるもの、異種接合を用いるもの、有機物を用いるものなど、その種類を限定しない。受光面側の透明部材としてガラス、裏面側の透明部材としてガラスを一例として記載したが、可視光の一部を透過するものであれば部材の材質は限定しない。また、本発明は光発電素子の配列に依らない。また、光発電素子は正方形である必要はなく、四隅が欠けた形状や丸形状、長方形なども含み、形状を限定しない。
【００６４】
また、第一透明電極部材（２１）、第二透明電極部材（２２）で用いる金属細線１（２４）、金属細線２（２７）は重なっていても重なっていなくても良い。また、上記実施の形態では金属細線１（２４）、金属細線２（２７）は、図１（ｂ）に示すように格子状の形態をしているが、一方向だけのストライプ状、或いは、ランダムな形状などでも良く、その形状に依らない。ただし、デザイン上の観点からは格子状、又はストライプ状が好ましく、視認のし難さの観点からはランダムな形状が好ましい。
【００６５】
また、上記実施形態では、裏面側透明部材の裏面側に第一透明電極部材を有するものについて記載したが、裏面側透明部材を用いなくてもよい。すなわち、第一透明電極部材が裏面側透明部材を兼ねていてもよい。この場合、部材を省略できるため、コストを下げることが可能となる。さらに裏面側透明部材による吸収、反射を減らすことが可能で、調光機能素子が透明な状態における採光量を増やすことができる。
【００６６】
尚、本発明では、光発電素子は光源側だけで受光して発電するもの、両面で発電するもののいずれにも限定しない。調光機能素子により反射した光は、直接光発電素子の光源とは反対側の面に入射するもの以外に、光発電素子間の隙間を通って受光面ガラスの表面で再度反射してから入射するものもあり、いずれの光発電素子の形態でも上記の発電量を向上する効果を有する。
【符号の説明】
【００６７】
１  太陽光発電装置
２、２ａ、２ｂ  光発電素子
３  隙間
４  配線
６  受光面ガラス
７  裏面ガラス
８ａ、８ｂ  封止材
２０  調光機能部材
２１  第一透明電極部材
２２  第二透明電極部材
２３、２６  透明支持部材
２４、２７  金属細線
２５、２８  透明導電膜
【図１】
2017093054.tif 000003
【図２】
2017093054.tif 000004
【図３】
2017093054.tif 000005
【図４】
2017093054.tif 000006
【図５】
2017093054.tif 000007
【図６】
2017093054.tif 000008
【図７】
2017093054.tif 000009